(57)【特許請求の範囲】
【請求項１】
テープが巻かれた複数のテープ巻軸を懸架するために、筐体の一の壁面からこれに対向する他の面に向けて横設された複数のアームと、各アームに着脱自在に装着されてアームに懸架されたテープ巻軸を固定するストッパとを有するテープ収納用コンテナであって、
前記ストッパは、前記アームを挿通させる挿通孔を有する円板状をなし、該円板面をアーム軸に直角に保持するための挿通孔スリーブと、ストッパ自身を前記アームに係止する係止ピンと、該係止ピンを前記円板の上下方向の直径に沿って摺動自在に支持する係止ピン支持部と、該係止ピンを常時下方に付勢するコイルスプリングとを備え、
前記係止ピンはその先端に近い位置に横設された突起を備え、
前記係止ピン支持部は前記突起を通過させうる切欠きを備え、
前記アームは上方に開く樋状をなし、その底部の、該アームに懸架されるテープ巻軸の個数に応じた所定の軸方向位置に、前記係止ピンの先端が嵌合する一又は複数の係止孔を設けてなる、テープ収納用コンテナ。
【発明の詳細な説明】
【０００１】
【発明の属する技術分野】
本発明は、テープ巻軸に円盤状に巻き取られたテープの輸送及び保管に好適なテープ収納用コンテナに関する。
【０００２】
【従来の技術】
テープメーカーから、例えば９〜２０ｍｍ幅のテープを加工用等に出荷する際は、テープ幅より僅かに長い円筒状のテープ巻軸にテープを堅く巻き、直径４０ｃｍ程度の円盤（パンケーキと称される）状にして出荷する。パンケーキの両面には積層したテープの断面が露出しているから、これに触れたり衝撃を与えることは避けなければならない。このパンケーキの輸送及び保管には、片持ち式のアームにパンケーキを複数個挿通懸架して収容するコンテナが用いられる。従来はコンテナのアームにパンケーキを所要数挿通後、アーム末端のパンケーキの巻軸に接して下端部を切り欠いたゴム製リングをストッパとしてアームに装着し、パンケーキの固定を図っていた。
【０００３】
しかしながら、このパンケーキの固定方法はゴムリングの弾性力のみに頼っているため輸送時の振動等により緩む恐れがあり、その際パンケーキどうしが傾いて接触し、テープが崩れる等の不都合があった。
【０００４】
従来のパンケーキ固定方法における上記の問題を解決するため、本出願人は先に提出した実用新案登録出願において、アームの先端に簡便確実に装着でき、懸架されたパンケーキのテープ巻軸を軸方向に締め付けることができるストッパを備えたテープ収納用コンテナを提案した（実願平４−２０３９３）。
【０００５】
この提案に係るストッパはアームの先端にのみ装着が可能なものである。しかしながら、あるアームには最大個数以下のパンケーキが懸架される場合があり、このような場合には、ストッパをアームの中間位置に装着する必要がある。
【０００６】
【発明が解決しようとする課題】
本発明は、上記状況に鑑みてなされたものであり、パンケーキの格納及び取出しが容易で、かつパンケーキ懸架用アームの先端部のみならず中間位置においても確実にパンケーキを固定しうるストッパを備えたテープ収納用コンテナ提供することを目的とする。
【０００７】
【課題を解決するための手段】
かくして本発明によれば、
（１）テープが巻かれた複数のテープ巻軸を懸架するために、筐体の一の壁面からこれに対向する他の面に向けて横設された複数のアームと、各アームに着脱自在に装着されてアームに懸架されたテープ巻軸を固定するストッパとを有するテープ収納用コンテナであって、
前記ストッパは、前記アームを挿通させる挿通孔を有する円板状をなし、該円板面をアーム軸に直角に保持するための挿通孔スリーブと、ストッパ自身を前記アームに係止する係止ピンと、該係止ピンを前記円板の上下方向の直径に沿って摺動自在に支持する係止ピン支持部と、該係止ピンを常時下方に付勢するコイルスプリングとを備え、
前記係止ピンはその先端に近い位置に横設された突起を備え、
前記係止ピン支持部は前記突起を通過させうる切欠きを備え、
前記アームは上方に開く樋状をなし、その底部の、該アームに懸架されるテープ巻軸の個数に応じた所定の軸方向位置に、前記係止ピンの先端が嵌合する一又は複数の係止孔を備えてなるテープ収納用コンテナ、が提供される。
【０００８】
本発明のテープ収納用コンテナでは、各アーム毎に、懸架されるパンケーキの個数に応じた軸方向位置に、係止ピンの先端が嵌合する複数の係止孔が設けられているので、当該アームに懸架されるパンケーキの個数に応じて、アーム上のストッパ係止位置を自由に選択することができる。従って、１本のアームに懸架することができる最大個数以内であれば、任意の個数のパンケーキをアームに固定することができる。
【０００９】
前記係止ピンの突起が前記切欠きとは異なる方向を向き、該突起がコイルスプリングの力に抗して係止ピン支持部上に係止されている状態では、係止ピンの先端はアーム底部の係止孔から離脱した位置に留まる。また、係止ピンを周方向に回動させ、前記突起が前記切欠きと同一方向を向き該切欠きを通過した状態では、係止ピンの先端はコイルスプリングの力によりアーム底部の係止孔に嵌合する位置へ到達する。従って、係止ピンの先端が、アーム底部の係止孔に嵌合する位置及び該係止孔から離脱した位置のいずれにも、進退自在に停留しうるので、ストッパをアーム上の所定位置に、いわゆるワンタッチでセットし又は移動することができ、取扱いが簡便である。
【００１０】
さらに本発明のテープ収納用コンテナでは、ストッパは、係止ピンの先端がアーム底部に設けた係止孔に嵌合することによりアームに係止され、係止ピンの先端はコイルスプリングにより係止孔を貫通する方向に常時押しつけられているので、振動等により結合が緩むことがない。従って、アーム上のパンケーキを安定確実に固定することができる。なお、アームは上方に開く樋状をなすので、その内部空間にストッパの係止ピン支持部が収容される。
【００１１】
【発明の実施の形態】
本発明の好適な実施形態として、
（２）前記アームの両肩部は円弧状に形成され、また該アームの底部は角を丸めた三角樋状に形成されている上記（１）記載のテープ収納用コンテナ、を挙げることができる。
【００１２】
本実施形態において、アームの両肩部は円弧状に形成されているので、テープ巻軸の内面を滑らかに支持することができる。また、アームの底部は三角樋状に形成されているので、アームの外面とテープ巻軸の内面の間に指を入れる隙間が生じる。そのため、円筒状をなすテープ巻軸の内面以外の部分に手指を触れることなくパンケーキを取り扱うことができる。
【００１３】
さらに、三角樋状のアームの底部は角が丸められているので、その緩やかな谷面に係止ピンの先端を嵌合させる係止孔を設けることができる。
【００１４】
【実施例】
以下に、添付図面を参照しつつ、本発明の一実施例について詳細に説明する。
【００１５】
図１は、本発明に係るテープ収納用コンテナ（参照符号１００）を側面から見た縦断面図である。コンテナ１００は前面に開閉扉を設け、底面の四隅にキャスターを設けた箱体で、筐体１の内奥壁から前面の壁に向けて複数のアーム２が横設される。各アーム２には巻軸１１にテープが巻かれてなるパンケーキ１０が多数懸架され、これらのパンケーキ１０は懸架個数に応じてアーム２の先端又は中間位置に装着したストッパ３により固定される。
【００１６】
筐体１の内奥壁は構造材としての角パイプを縦横に組み合わせて構成され、さらに、内面には導電性の樹脂製パネルを、外面にはスチール製のパネルを張って形成される。また両側面は半透明で導電性の樹脂製パネルにより形成される。筐体１の前面の開閉扉は、半透明で導電性の樹脂製シートをファスナーで取り付けて形成される。筐体１の上下の角部は緩衝材を取り付けて保護されている。
【００１７】
図２はストッパ３の詳細構造を示す斜視図である。ストッパ３は、アーム２を通す挿通孔３０を有する円板３１と、円板３１の面をアーム２の軸に直角に保持するための円筒状の挿通孔スリーブ３２と、ストッパ３自身をアーム２に係止する係止ピン３３と、係止ピン３３を円板３１の上下方向の直径に沿って摺動自在に支持する係止ピン支持部３４と、係止ピン３３を常時下方に付勢するコイルスプリング３５と、アーム２の底部をガイドすると共に係止ピン３３の先端３３０を受け止めるプレート３６とを有する。また、係止ピン３３は、先端３３０に近い位置に突起３３１を、また中間部にスプリング受け突起３３２と上部にレバー３３３とを有する。
【００１８】
図３はストッパ３中の係止ピン支持部３４の拡大斜視図である。係止ピン支持部３４は係止ピン３３を通す孔３４１を有し、孔３４１は突起３３１を通す切欠き３４２に連なっている。
【００１９】
また、図４はアーム２を正面から見た縦断面図である。アーム２は上方に開く樋状をなし、その両肩部はテープ巻軸１１の内面に接すべく円弧状に形成されている。またアーム２の底部は、テープ巻軸１１の内面との間に指を入れる隙間を設けるため、角を丸めた三角樋状に形成されている。アーム２の底部谷線上には、アーム２に懸架されるパンケーキ１０の個数に応じた所定の軸方向位置に、係止ピン３３の先端３３０が嵌合する係止孔２１が設けられている。
【００２０】
アーム２に所望個数のパンケーキ１０を懸架した後、ストッパ３の挿通孔スリーブ３２をアーム２の先端方向に向けた状態で、挿入孔３０にアーム２の先端を挿入する。この場合、アーム２の円弧状の両肩部がストッパ３の挿通孔スリーブ３２に、アーム２の三角樋状の底部がプレート３６に接し、円板３１の面がアーム２の軸に対してほぼ直角に保たれる。
【００２１】
この状態で、円板３１がアーム２上の末端パンケーキ１０の巻軸１１に接する位置までストッパ３を押し進め、その位置で係止ピン３３上部のレバー３３３を手で回し、突起３３１の方向を係止ピン支持部３４に設けた切欠き３４２の方向に一致させる。すると、突起３３１が切欠き３４２を通り抜け、係止ピン３３の先端３３０がコイルスプリング３５の力により下方へ押し下げられ、先端３３０がアーム２の底部係止孔２１に嵌合する。かくしてストッパ３がアーム２上の所望の位置に係止され、パンケーキ１０がアーム２に固定される。
【００２２】
パンケーキ１０をアーム２から取り出す際は、突起３３１又はレバー３３３を手で引き上げて係止ピン３３の先端３３０とアーム２の底部係止孔２１との嵌合状態を解除し、ストッパ３をアーム２から抜去する。
【００２３】
【発明の効果】
本発明によれば、アームに懸架されるパンケーキの個数に応じてアーム上のストッパの係止位置を自由に選択することができるので、１本のアームに懸架することができる最大個数以内であれば、任意の個数のパンケーキを簡便確実にアーム上に固定することができる。
【００２４】
【図面の簡単な説明】
【図１】本発明に係るテープ収納用コンテナを側面から見た縦断面図である。
【図２】ストッパの詳細構造を示す斜視図である。
【図３】ストッパ中の係止ピン支持部の拡大斜視図である。
【図４】アームを正面から見た縦断面図である。
【符号の説明】
１…筐体
２…アーム
３…ストッパ
３０…挿通孔          ３１…円板        ３２…挿通孔スリーブ
３３…係止ピン
３３０…先端          ３３１…突起      ３３２…スプリング受け突起
３３３…レバー
３４…係止ピン支持部
３４１…孔            ３４２…切欠き
３５…コイルスプリング
３６…プレート
１０…パンケーキ
１１…テープ巻軸
１００…テープ収納用コンテナ
【図１】
0003587925.tif 000002
【図２】
0003587925.tif 000003
【図３】
0003587925.tif 000004
【図４】
0003587925.tif 000005